(57)【要約】【課題】  外部から受信した複数ページの道路交通情報をユーザーが所望する順序で表示することができる「ナビゲーション装置」を提供する。【解決手段】  本発明に係るナビゲーション装置１００は、道路に設置されているビーコンからＶＩＣＳ・ＦＭ多重レシーバ１１６を介して道路交通情報を受信したとき、簡易図形が複数ページであるか否かを判定し、複数ページであったとき、その旨をスピーカ１４２でユーザーに報知する。ユーザーはさらに、簡易図形の複数ページの表示順序を設定し、これをビーコンテーブルに保存する。【選択図】  図５
2007292570.tif 000002
【特許請求の範囲】
【請求項１】
道路交通情報を受信し、これを提示可能なナビゲーション装置であって、
外部から道路交通情報を受信する受信手段と、
受信手段により受信した道路交通情報をディスプレイに表示する表示手段と、
前記ディスプレイに複数ページの道路交通情報を表示するとき、当該複数ページの表示順序を設定する設定手段と、
を有するナビゲーション装置。
【請求項２】
ナビゲーション装置はさらに、道路交通情報を受信したとき、当該道路交通情報が複数ページか否かを判定する判定手段と、前記判定手段により複数ページと判定されたとき、複数ページであることを報知する報知手段と、を有する請求項１に記載のナビゲーション装置。
【請求項３】
前記設定手段は、前記道路交通情報を受信したとき、ディスプレイに入力設定画面を表示し、当該入力設定画面を介して複数ページの表示順序を設定する、請求項１に記載のナビゲーション装置。
【請求項４】
前記設定手段は、道路交通情報を発する発信基地を識別する識別情報と、発信基地毎に設定された表示順序を記憶する、請求項１ないし３いずれか１つに記載のナビゲーション装置。
【請求項５】
前記複数のページは、渋滞情報、時間情報または広域情報を表す図形情報を含む、請求項１に記載のナビゲーション装置。
【請求項６】
ナビゲーション装置はさらに、道路交通情報を受信したとき、当該道路交通情報について表示順序が既に設定されているか否かを判定する他の判定手段を含み、当該他の判定手段により表示順序が既に設定されていると判定された場合には、前記表示手段は、既に設定された表示順序に従い道路交通情報の複数のページをディスプレイに表示する、請求項１ないし５いずれか１つに記載のナビゲーション装置。
【請求項７】
前記報知手段は、道路交通情報を受信したときに発せられる受信音により複数ページである旨を報知する、請求項２に記載のナビゲーション装置。
【発明の詳細な説明】
【技術分野】
【０００１】
本発明は、ナビゲーション装置に関し、特に、ＶＩＣＳ（Vehicle Information and Communication System）の道路交通情報が複数ページを有するときの表示方法に関する。
【背景技術】
【０００２】
車両の走行案内を行い、ユーザーが所望の目的地に到達できるようにしたナビゲーション装置において、ＶＩＣＳと呼ばれる渋滞や交通規制などの道路交通情報をリアルタイムで受信する情報通信システムが普及し、利用されている。ＶＩＣＳ情報の通信方法には、ビーコンによる通信方式とＦＭ多重放送による通信方式の２種類がある。例えばビーコンによる通信方式では、図１に示すようにビーコン１０が道路に設置されており、車両１２が道路を走行中にビーコンの受信エリア１４に進入すると、車両１２は、ビーコン１０から道路交通情報を受信する。これにより、ユーザーは、進行方向方面の道路交通情報を取得できる。提供される道路交通情報には、文字で表示するレベル１文字表示型、簡易図形により表示するレベル２簡易図形表示型、渋滞箇所を矢印等で地図画像上に表示するレベル３地図表示型がある。
【０００３】
特許文献１は、運転手が必要ないと判断した交通情報を送信している外部送信機からの情報による割り込み処理を減少させるナビゲーション装置である。外部送信機である電波・光ビーコンよりビーコン受信ユニットが交通情報を受信し、割り込み処理が発生した場合、次回以降の受信情報を表示するか否かを設定する。非表示の設定がなされた場合、ビーコンから情報を受信した場合であっても割り込み処理が発生せず、地図上に受信した交通情報を重畳して表示しない。
【０００４】
【特許文献１】特開２００５−１７２４３９
【発明の開示】
【発明が解決しようとする課題】
【０００５】
ナビゲーション装置における道路交通情報通信システムは、１つのビーコンから受信する簡易図形のページ数は、１〜２ページ程度を想定しており、２ページ以上の簡易図形を受信する場合について、ユーザーへの最適な提示について考慮されていなかった。例えば外部から複数ページの簡易図形を受信したとき、画面上には１ページ目の簡易図形のみが表示され、２ページ目以降の簡易図形は、ページ送りをして表示しなければならない。このとき、簡易図形を既定の順序でしか表示することができず、ユーザーは所望する順序で表示することができなかった。
【０００６】
また、ユーザーが受信した簡易図形のページ数を直感的に判断するような機能もないため、特に手動によるページ送りの際は、ユーザーが複数ページの簡易図形を受信したことに気づかないこともあった。これにより、２ページ目以降の簡易図形が表示されることはなく、提供されている道路交通情報が十分に活用されないことも多かった。例えばユーザーが３ページ目の簡易図形を必要としていたとしても、２ページ目以降の簡易図形の存在に気づかず、３ページ目の簡易図形は表示されることがなかった。
【０００７】
本発明は、上記の課題を解決するために成されたものであり、受信した道路交通情報のページ数をユーザーに報知し、さらに、ユーザーが所望する表示順序を設定することができ、必要な道路交通情報を適宜表示することができるナビゲーション装置を提供する。
【課題を解決するための手段】
【０００８】
本発明に係るナビゲーション装置は、外部から道路交通情報を受信すると、道路交通情報のページ数を判定し、その旨をユーザーに報知する。さらに、ユーザーが道路交通情報のページの表示順序を設定すると、その表示順序に従い道路交通情報を表示する。これにより、ユーザーは、受信した道路交通情報のページ数を即座に認識し、かつ、必要な情報を見落とすことなく、所望する順序で道路交通情報を確認することができる。
【０００９】
本発明に係るナビゲーション装置は、道路交通情報を受信し、これを提示可能であり、外部から道路交通情報を受信する受信手段と、受信手段により受信した道路交通情報をディスプレイに表示する表示手段と、前記ディスプレイに複数ページの道路交通情報を表示するとき、当該複数ページの表示順序を設定する設定手段とを有する。
【００１０】
好ましくはナビゲーション装置はさらに、道路交通情報を受信したとき、道路交通情報が複数ページか否かを判定する判定手段と、前記判定手段により複数ページと判定されたとき、複数ページであることを報知する報知手段とを有する。報知手段は、例えば、受信したときの受信音や音声案内である。
【００１１】
好ましくは設定手段は、道路交通情報を受信したとき、入力設定画面（入力テンプレート）をディスプレイに表示し、当該入力設定画面を介して複数ページの表示順序を設定する。さらに、設定手段は、道路交通情報を発する発信基地（例えば、ビーコン）を識別する識別情報と、発信基地毎に設定された表示順序を記憶する。
【００１２】
さらに好ましくはナビゲーション装置は、道路交通情報を受信したとき、当該道路交通情報について表示順序が既に設定されているか否かを判定する他の判定手段を含み、当該他の判定手段により表示順序が既に設定されていると判定された場合には、前記表示手段は、既に設定された表示順序に従い道路交通情報の複数のページをディスプレイに表示する。
【発明の効果】
【００１３】
本発明によれば、道路交通情報が複数ページであるとき、各ページの表示順序を設定することにより、ユーザーにとって所望の順序で道路交通情報のページを表示することができる。また、道路交通情報のページ数を報知することにより、ユーザーは、直感的に道路交通情報のページ数を認識することができ、必要な情報の見落としを防止することができる。
【発明を実施するための最良の形態】
【００１４】
以下、本発明の最良の実施の形態について図面を参照して詳細に説明する。
【実施例】
【００１５】
図２は、本発明の実施例に係るナビゲーション装置１００の構成を示すブロック図である。ナビゲーション装置１００は、車速情報や車両方位情報などを受信するバスインターフェース１１０、ＧＰＳ衛星からの電波を受信して車両の現在位置と現在方位を測位するＧＰＳ受信機１１２、アンテナ１１４を介して車両外部の現在の道路交通情報を受信するＶＩＣＳ・ＦＭ多重レシーバ１１６、操作パネル１２２、音声入力部１２４およびリモコン操作部１２６を含む入力インターフェース１２０、大容量のハードディスクを有する記憶装置１３０、無線または有線によりデータ通信を可能とするデータ通信制御部１３２、スピーカ１４２から音声を出力させる音声出力部１４０、ディスプレイ１５２に画像を表示させる表示制御部１５０、プログラムを記憶するプログラムメモリ１６０、データを一時記憶するデータメモリ１７０、および制御部１８０を含んでいる。
【００１６】
記憶装置１３０は、ナビゲーションの各種機能を実行するためのプログラムおよびデータベースを記憶する。データベースは、地図データ、施設データ等を含み、地図データは、道路に関するリンク(道路)データ、交差点データおよびビーコンデータを含む。リンクデータは、交差点と交差点とを連結する道路に関するデータであり、道路の始点と終点の経緯度を示すノードデータ、道路の種別（国道、一般道、県道など）を示すデータ、幅員、規制（例えば、一方通行）、車線数などのデータを含んでいる。
【００１７】
プログラムメモリ１６０は、記憶装置１３０に記憶されたプログラムをロードする。例えば、走行距離情報および方位情報に基づく自立航法による自車位置の算出やＧＰＳ受信機１１２の測位結果に基づく自車位置の算出を行う自車位置算出プログラム１６２、ＶＩＣＳによる道路交通情報を提示する道路交通情報提示プログラム１６４、自車位置を道路地図上に合成しディスプレイ１５２に表示する自車位置表示プログラム１６６、目的地までの最適経路（最適ルート）を探索するルート探索プログラム１６８等を格納する。
【００１８】
データメモリ１７０は、目的地までの誘導経路データ１７２、記憶装置から読み出した自車位置周辺の地図データ１７４、走行履歴データ１７６、ＶＩＣＳから受信した道路交通情報１７８、後述するビーコンテーブルに登録されるデータ１７９等を格納する。道路交通情報１７８には、上述したように、文字を表示するレベル１文字表示型、簡易図形を表示するレベル２簡易図形表示型、地図画像上に渋滞箇所を矢印等で表示するレベル３地図表示型がある。
【００１９】
本実施例のナビゲーション装置は、ＶＩＣＳより受信した道路交通情報の表示方法に特徴を有し、特に、レベル２簡易図形が複数ページを含むとき、それらのページの表示順序を設定し、設定された表示順序にてページを表示する機能を備えている。
【００２０】
図３は、道路交通情報の構成例を示す図である。ＶＩＣＳによる道路交通情報１７８は、伝送制御部（同期）１７８ａ、ヘッダ部１７８ｂ、実データ部１７８ｃ、伝送制御部（ＣＲＣ）１７８ｄによって構成されている。伝送制御部（同期）１７８ａは、図１に示すビーコン１０とＶＩＣＳ・ＦＭ多重レシーバ１１６間の通信の同期を取るためのコードである。ヘッダ部１７８ｂは、ビーコンを識別するためのビーコンＩＤ、道路交通情報に含まれるページ数を示すページ情報を含んでいる。ヘッダ部１７８ｂはさらに、道路交通情報がレベル１、レベル２、レベル３の表示型のいずれかを識別するためのレベルＩＤを含んでいても良い。実データ部１７８ｃは、レベル１、レベル２またはレベル３に対応する文字情報、簡易図形情報等を含んでいる。伝送制御部（ＣＲＣ）１７８ｄは、誤り検出用のコードである。
【００２１】
図４は、レベル２簡易図形表示に含まれる簡易図形の情報を説明する図である。同図に示すように、簡易図形２００は、自車が進行する方面の渋滞情報をハッチングや強調表示により表した渋滞情報２０２、自車が進行する方面にある目的地となるような施設に到達するまでの旅行時間を表した旅行時間情報２０４、自車が進行する方面の広域地図を表した広域情報２０６等を含むことができる。簡易図形２００がディスプレイ１５２に表示されるとき、渋滞情報２０２、旅行時間情報２０４および広域情報２０６がそれぞれが１ページに相当し、ページ送りによってそれぞれの情報が表示されるようになっている。なお、ビーコンから発せられる簡易図形２００のすべてが渋滞情報２０２、旅行時間情報２０４および広域情報２０６を含むものではなく、ビーコンによっては、渋滞情報と広域情報を含む簡易図形であったり、１ページの簡易図形の場合もある。
【００２２】
次に、本実施例のナビゲーション装置における道路交通情報の提示動作について図５のフローチャートを参照して説明する。ここでは、道路交通情報として、簡易図形が複数のページを含むときの表示順序の設定例を説明する。図１に示すように車両１２がビーコン１０の受信エリア１４に進入すると、ナビゲーション装置１００は、アンテナ１１４を介し、ビーコン１０から発信される道路交通情報をＶＩＣＳ・ＦＭ多重レシーバ１１６で受信する（ステップＳ１０１）。受信された道路交通情報１７８は、データメモリ１７０に格納され、制御部１８０は、道路交通情報提示プログラム１６４に従い、道路交通情報１７８のヘッダ部に含まれるページ数を解読し、簡易図形が複数ページであるか否かを判定する（ステップＳ１０２）。
【００２３】
簡易図形が１ページと判定された場合、制御部１８０は、表示制御部１５０を介して簡易図形をディスプレイ１５２に表示する。他方、簡易図形が複数ページと判定された場合、制御部１８０は、簡易図形が複数である旨を受信音にて報知する（ステップＳ１０３）。好ましくは制御部１８０は、音声出力部１４０を介してスピーカ１４２から簡易図形のページ数と同じ回数だけビープ音を発する。例えば、簡易図形２００が、渋滞情報２０２、旅行時間情報２０４および広域情報２０６の３ページの図形を含む場合、スピーカ１４２から３回のビープ音が発せられる。これにより、ユーザーは受信した簡易図形のページ数を即座に確認することができる。
【００２４】
次に、制御部１８０は、ディスプレイ１５２に表示順序を設定するための入力テンプレート３００を表示する（ステップＳ１０４）。入力テンプレート３００は、例えば図６(ａ)に示すように、簡易図形に含まれる最大数の渋滞情報、旅行時間情報、広域情報についての表示順序を設定する項目を含んでいる。ユーザーは、入力テンプレートを参照し、表示順序を設定する（ステップＳ１０５）。図６（ａ）の例では、渋滞情報、広域情報、旅行時間情報の順に表示順序が設定されている。仮に、簡易図形が渋滞情報、広域情報、旅行時間情報のすべてを含んでいない場合には、該当する情報のみが対象となる。
【００２５】
入力テンプレート３００から設定された情報は、図６（ｂ）に示すようなビーコンテーブルに保存される（ステップＳ１０５）。ビーコンテーブルは、ビーコン毎に割り当てられたビーコンＩＤと、各ビーコンから発せられる簡易図形に含まれる各情報についての表示順序を登録する。なお、ビーコンＩＤは、道路交通情報を受信したとき、そのヘッダ部から読み取られる。仮に、図６(ａ)の入力テンプレートが表示されたときのビーコンＩＤが「００２」であれば、ビーコンＩＤ「００２」に、渋滞、広域、時間の表示順序が保存される。ビーコンテーブルには、道路交通情報が受信されるたびに、当該ビーコンから発せられる簡易図形の表示順序が登録される。
【００２６】
制御部１８０は、ビーコンテーブルに表示順序を設定した後、当該表示順序に従い、表示制御部１５０を介してディスプレイ１５２に簡易図形２００を表示する（ステップＳ１０６）。ディスプレイ１５２に表示された最初のページは、タイマー等の管理の下、一定時間を経過すると、次のページにページ送りされる。あるいはユーザーの指示によって強制的にページ送りされる。
【００２７】
このように本実施例では、簡易図形が複数のページを含む場合には、設定によりユーザーの好みに応じた順序で各情報を表示させることができる。同時に、受信音によってページ数を認識できるため、ページを見逃すこともなくなる。
【００２８】
上記例では、入力テンプレートに複数の項目を用意しそこから表示順序を設定しているが、必ずしも入力テンプレートを用いる必要はない。例えば、ユーザーは、入力インターフェース１２０を操作し、簡易図形に含まれる各ページをディスプレイに表示させながら、表示順序を設定し、これをビーコンテーブルの設定・保存するようにしてもよい。
【００２９】
次に、ビーコンテーブルに設定された表示順序に基づき簡易図形に含まれる複数ページを表示する方法について図７のフローチャートを参照して説明する。記憶装置１３０またはデータメモリ１７９は、過去に受信した簡易図形についての設定した表示順序をビーコンテーブルに保存している。ユーザーは、同一のビーコン受信場所では、同一の情報を優先して表示させる可能性が高い。そこで、ビーコンテーブルに過去に設定された表示順序があるときは、これを優先し、ユーザーは毎回同じ表示順序を設定するような煩雑な作業を省くことができる。
【００３０】
先ず、車両の走行に伴い、ＶＩＣＳ・ＦＭレシーバ１１６によって道路交通情報１７８が受信される（ステップＳ２０１）。制御部１８０は、道路交通情報１７８に含まれるヘッダ部を解読し、簡易図形が複数ページあるか否かを判定する（ステップＳ２０２）。簡易図形が１ページであった場合には、上記実施例と同様に、簡易図形２００をディスプレイ１５２に表示する。一方、簡易図形が複数ページと判定されると、複数ページに応答した受信音がユーザーに報知される（ステップＳ２０３）。
【００３１】
次に、制御部１８０は、受信した道路交通情報１７８のビーコンＩＤがビーコンテーブルに既に登録されているか否かを判定する（ステップＳ２０４）。ビーコンＩＤが登録されていない場合、制御部１８０は、上記実施例と同様に、簡易図形２００に含まれる複数のページの表示順序をユーザーに設定させ（ステップＳ２０５）、設定された表示順序をビーコンテーブルに保存する（ステップＳ２０６）。
【００３２】
ビーコンＩＤが既に登録されている場合には、制御部１８０は、そのビーコンに対応する表示順序を読み出し、その表示順序をディスプレイ１５２に表示する（ステップＳ２０７）。次に、制御部１８０は、既登録の表示順序を優先するか否かを判定する（ステップＳ２０８）。制御部１８０は、一定時間内にユーザーからの入力がない場合には、既登録の表示順序を優先させる。他方、ユーザーが表示順序を変更する旨の入力があった場合には、表示順序を更新するため、入力テンプレートをディスプレイに表示し、表示順序を再設定させる（ステップＳ２０５、２０６）。
【００３３】
ユーザーが既登録の表示順序を優先する場合は、制御部１８０は、設定されている表示順序に従い、簡易図形に含まれる複数のページをディスプレイ１５２に表示する（ステップＳ２０９）。
【００３４】
こうしてビーコンテーブルに設定された表示順序に従い、ユーザーの所望するページを優先的にディスプレイに表示させることができる。なお、上記実施例は、道路交通情報としての簡易図形が複数のページを含む例を説明したが、勿論、これに限らず、他の情報であってもよい。要は、ディスプレイに表示すべき情報が複数ページに渡るものであれば、本発明を適用することができる。さらに、上記実施例では、ＶＩＣＳからの道路交通情報を対象としてが、これ以外にも無線通信を介してネットワークから得れる道路交通情報や、車々間通信によって得られる道路交通情報であってもよい。
【００３５】
さらに上記実施例では、簡易図形２００を受信したとき、簡易図形２００のページ数をビープ音によってユーザーに報知したが、勿論、「簡易図形を３ページ受信しました」のような音声による報知であってもよい。さらに、併せてディスプレイにページ数を分かり易く表示するようにしてもよい。
【００３６】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００３７】
本発明に係るナビゲーション装置は、道路交通情報提示システムして利用することができる。利用態様として、ナビゲーション装置や他のコンピュータ等の電子装置と機能的に結合することが可能である。
【図面の簡単な説明】
【００３８】
【図１】道路交通情報システムを説明する図である。
【図２】本実施例に係るナビゲーション装置１００の構成を示すブロック図である。
【図３】道路交通情報データ１７８の構造を示す図である。
【図４】受信簡易図形２００を示す図である。
【図５】本実施例のナビゲーション装置における簡易図形が複数ページあるときの表示順位の設定方法を説明するフローチャートである。
【図６】図６（ａ）は入力テンプレート、図６（ｂ）は表示順序を登録するビーコンテーブルである。
【図７】本実施例のナビゲーション装置における簡易図形が複数ページあるときの表示方法を説明するフローチャートである。
【符号の説明】
【００３９】
１０：ビーコン                        １２：車両
１４：受信エリア                      １００：ナビゲーション装置
１１０：バスインターフェース          １１２：ＧＰＳ受信機
１２０：入力インターフェース          １３０：記憶装置
１３２：通信制御部                    １４０：音声出力部
１４２：スピーカ                      １５０：表示制御部
１５２：ディスプレイ                  １６０：プログラムメモリ
１６４：道路交通情報提示プログラム    １７０：データメモリ
１７６：走行履歴データ                １７８道路交通情報データ
１７９：ビーコンテーブル              １８０：制御部
２００：簡易図形                      ２０２：渋滞情報
２０４：時間情報                      ２０６：広域情報
【図１】
2007292570.tif 000003
【図２】
2007292570.tif 000004
【図３】
2007292570.tif 000005
【図４】
2007292570.tif 000006
【図５】
2007292570.tif 000007
【図６】
2007292570.tif 000008
【図７】
2007292570.tif 000009